(57)【要約】【課題】チャット参加者のアクセス意欲を減退させずにチャット開催者側からの働きかけをきっかけとしたチャットを開催できるチャットシステムの提供。【解決手段】記憶部に記憶された送信対象者の携帯通信端末に制御部がＵＲＬを含むメールを通信回線によって送信し、ＵＲＬのチャット画面に前記送信対象者を招待するチャットシステムにおいて、記憶部は、チャット開催者の親ユーザー識別子と、親ユーザーに紐付された複数の子ユーザーを識別する子ユーザー識別子と、親ユーザー識別子に紐付された子ユーザー毎の対応関係を示すセッション識別子と、メッセージデータを有し、制御部は、親ユーザーの識別子を表示に含むようにセッション識別子を短縮して子ユーザー毎に生成した専用短縮ＵＲＬと、メッセージデータを含むメールを子ユーザーの携帯通信端末にプッシュ送信する。【選択図】図２
2020071644.tif 000002
【特許請求の範囲】
【請求項１】
記憶部に記憶された送信対象者の携帯通信端末に制御部がＵＲＬを含む電気通信メッセージを通信回線によって送信し、ＵＲＬにリンクしたチャット画面に前記送信対象者を招待するチャットシステムにおいて、
前記記憶部は、
チャットを開催する親ユーザーの親ユーザー識別子と、親ユーザーに紐付された前記送信対象者である複数の子ユーザーを識別する子ユーザー識別子と、前記親ユーザー識別子に紐付された子ユーザー毎の対応関係を示すセッション識別子と、メッセージデータを有し、
前記制御部は、
親ユーザーの識別子を表示に含むようにセッション識別子を短縮して子ユーザー毎に生成した専用短縮ＵＲＬと、メッセージデータを含むプッシュ通知付の電気通信メッセージを前記子ユーザーの携帯通信端末に送信することを特徴とする、チャットシステム。
【請求項２】
前記セッション識別子は、更にマルチメディアコンテンツとの対応関係も示し、
前記記憶部は、前記マルチメディアコンテンツの対応関係に基づいたチャット画面を表示するマルチメディアコンテンツデータを有し、
前記制御部が、短縮ＵＲＬへの子ユーザーのアクセスに基づいて、前記セッション識別子に対応したマルチメディアコンテンツデータによるチャット画面を子ユーザーの端末に表示することを特徴とする、請求項１に記載のチャットシステム。
【請求項３】
前記親ユーザーの識別子は、親ユーザーの名称、略称、ＵＲＬまたは親ユーザー企業にチャット環境を提供するＡＳＰによる指定名称であることを特徴とする、請求項１または２に記載のチャットシステム。
【請求項４】
前記電気通信メッセージが、ＳＭＳメールを介したメッセージであることを特徴とする、請求項１から３のうちいずれかに記載のチャットシステム。
【発明の詳細な説明】
【技術分野】
【０００１】
携帯通信端末へ送信した電気通信メールを介して端末の所有者を招待するチャットシステムに関する。
【背景技術】
【０００２】
受信者毎の識別情報を付加して作成したインターネットの専用ＵＲＬを記載したショートメールを受信者の端末毎に送信し、所有者の回答を収集するとともに、ＵＲＬにアクセスした回答者の特定も行うアンケートシステムとして、特許文献１に示すものがある。
【先行技術文献】
【特許文献】
【０００３】
【特許文献１】特許５６２９３６３号公報
【発明の概要】
【発明が解決しようとする課題】
【０００４】
一般にチャットを開催する企業等と当該企業の消費者や会員等との間で行われるようなチャットシステムは、消費者等からのアクセスをきっかけに行われる。従って、企業側から消費者等にチャットへ参加を求める場合、企業側は、消費者等にチャットへ参加し易い働きかけを行うことで消費者等の参加意欲を向上させる必要がある。
【０００５】
しかし、特許文献１のアンケートシステムで使用されるようなインターネット上の子ページを示すＵＲＬは、サーバーのディレクトリの深い階層に記録され、消費者に意味不明な長い文字列のファイル名を有することが多いため、受信者の識別情報まで加えてショートメールで送信すると、文字数制限によってメールと共にＵＲＬが分割されて機能せずに受信者の参加を阻害したり、送信者を特定させづらくしたり、受信者の携帯端末画面を埋め尽くす等してアクセス意欲を減退させるおそれがある。
【０００６】
上記課題に鑑み、本願発明は、チャット参加者のアクセス意欲を減退させること無く、チャット開催者側から参加者への働きかけをきっかけとしたチャットを開催できるチャットシステムを提供するものである。
【課題を解決するための手段】
【０００７】
記憶部に記憶された送信対象者の携帯通信端末に制御部がＵＲＬを含む電気通信メッセージを通信回線によって送信し、ＵＲＬにリンクしたチャット画面に前記送信対象者を招待するチャットシステムにおいて、前記記憶部は、チャットを開催する親ユーザーの親ユーザー識別子と、親ユーザーに紐付された前記送信対象者である複数の子ユーザーを識別する子ユーザー識別子と、前記親ユーザー識別子に紐付された子ユーザー毎の対応関係を示すセッション識別子と、メッセージデータを有し、前記制御部は、親ユーザーの識別子を表示に含むようにセッション識別子を短縮して子ユーザー毎に生成した専用短縮ＵＲＬと、メッセージデータを含むプッシュ通知付の電気通信メッセージを前記子ユーザーの携帯通信端末に送信するようにした。
【０００８】
（作用）セッション識別子を短縮して子ユーザー毎に形成された字数の短い専用ＵＲＬが、親ユーザーの識別情報と共にチャットを開催する親ユーザーから送信されたプッシュ通知付の電気通信メッセージを介して子ユーザーに着信を知らせつつ、その端末に途切れること無く届き、小さな端末画面を埋め尽くすこともなく表示される。
【０００９】
また、チャットシステムは、前記セッション識別子が更にマルチメディアコンテンツとの対応関係も示し、前記記憶部は、前記マルチメディアコンテンツの対応関係に基づいてチャット画面を表示するマルチメディアコンテンツデータを有し、前記制御部が、短縮ＵＲＬへの子ユーザーのアクセスに基づいて、前記セッション識別子に対応したマルチメディアコンテンツデータによるチャット画面を子ユーザーの端末に表示することが望ましい。
【００１０】
（作用）親ユーザーの意図する所定の形態を有し、所定の動作等を行うチャット画面が紐付された子ユーザーの携帯端末画面に表示される。
【００１１】
チャットシステムは、前記親ユーザーの識別子は、親ユーザーの名称、略称、ＵＲＬまたは親ユーザー企業にチャット環境を提供するＡＳＰによる指定名称であることが望ましい。
【００１２】
（作用）子ユーザーの携帯通信端末画面にチャットを求める親ユーザーまたは親ユーザーにチャットを提供するＡＳＰ(Application Service Provider)の出所が表示される。
【００１３】
チャットシステムによれば、前記電気通信メッセージは、ＳＭＳメールであることが望ましい。
【００１４】
（作用）親ユーザーのチャット参加への招待ＵＲＬが、ＳＭＳメールを介して各子ユーザーの携帯通信端末に送信される。ＳＭＳ（ショートメールサービス）は、ＳＭＳの提供事業者が異なる端末間の相互通信等において、送信可能文字数が全角で７０文字、半角で１６０文字に制限されるため、本願のチャットシステムにおいては、専用ＵＲＬが短縮されることで、ＳＭＳメールによって送信しても、専用ＵＲＬが途切れること無く子ユーザーの携帯通信端末に届く。
【発明の効果】
【００１５】
チャットシステムによれば、チャットを開催する親ユーザーから参加を求める子ユーザーへの働きかけをきっかけとし、子ユーザーにチャット開催者の出所を容易に判別させて安心させ、問題無くチャット画面に誘導することで、子ユーザーの参加意欲を減退させることなくチャットを開催することが出来る。
【００１６】
チャットシステムによれば、多種多様な形態と動作を行うチャット画面を親ユーザーと子ユーザーの紐付関係毎に子ユーザーの携帯端末画面に表示出来る。
【００１７】
チャットシステムによれば、子ユーザーにチャット開催者や開催者にチャット環境を提供するＡＳＰの出所を容易に判別させて不安感を払拭することでチャット参加への意欲を生み出すことが出来る。
【００１８】
チャットシステムによれば、ほぼ全ての携帯通信端末に機能やアプリが標準装備されたＳＭＳメールを利用することにより、子ユーザーが高額な契約による専用のアプリ等を携帯通信端末に利用しなくてもチャットを開催する親ユーザーから子ユーザーに簡単に働きかけて容易に参加をうながすことが出来る。
【図面の簡単な説明】
【００１９】
【図１】本実施形態に係るチャットシステムの構成を示すブロック図。
【図２】本実施形態に係るチャットシステムに関するフローチャート。
【発明を実施するための最良の形態】
【００２０】
図１と図２により本実施形態に係るチャットシステムについて説明する。本実施形態のチャットシステムを構成するチャットサーバー１は、インターネット網２等のオープンネットワークを介してチャットを開催する企業クライアントの親ユーザー端末３にそれぞれ接続され、更にインターネット網２及び公衆回線網４を介して各企業クライアントを利用する複数の子ユーザーの携帯通信端末５に接続されている。
【００２１】
チャットの管理及び対話画面のユーザーインターフェイス部として機能する親ユーザー端末３は、キーボードやポインティングデバイス等の図示しない入力デバイスからなる操作部３ａと、チャットへログインする場合等の管理画面やチャット開始後の対話画面、操作部３ａと、子ユーザーの携帯通信端末５からの入力結果を表示する表示部３ｂを含む。ユーザーの携帯通信端末５は、公衆回線網４を介して送信されるＳＭＳメール（文字数制限のあるショートメールサービスのメール）や、インターネット網２を介して送信されるＲＣＳ(Rich Communication Services：携帯通信端末の電話番号を宛先としたメッセージの送受信、チャット、ファイルの送受信を可能にするサービス)、インターネットメール、ＳＮＳサービスに基づいて送信されるメッセージ等の電気通信メールを受信可能に構成されたスマートフォン等の携帯端末である。
【００２２】
チャットサーバー１において、企業クライアントは、親ユーザーとして後述する記憶部の親データベースに登録され、各企業クライアントの利用者（以降は、単に企業利用者とする）は、親ユーザーとなる企業クライアントに紐付された子ユーザーとして、後述する受信者データベースに登録される。尚、図１における親ユーザー端末３と子ユーザーの携帯通信端末５は、１つずつしか記載していないが、いずれも２つ以上されてもよい。
【００２３】
チャットサーバー１は、企業クライアントである親ユーザーと企業利用者である子ユーザーとの間の紐付関係に基づいて発信の条件を決定し、決定された条件に基づいてＳＭＳメールまたはＲＣＳのメッセージを子ユーザーの携帯通信端末５毎に割り当てられた電話番号宛に送信し、またはインターネットメールを携帯通信端末５に設定されたメールアプリのメールアドレスに送信し、またはＳＮＳのメッセージを携帯通信端末５にインストールされたログイン中のＳＮＳアプリ等に送信する。
【００２４】
子ユーザーの携帯通信端末５毎に送信されたＳＭＳメール等には、子ユーザーを特定する識別情報と、チャットを開催する企業クライアント（親ユーザー）の識別表示が付加された後述する短縮ＵＲＬが所定のショートメッセージと共に記載される。子ユーザーは、短縮ＵＲＬを記載されることで配信されたＳＭＳメール等を文字数制限によって分割されること無く、小型モニター５ａを文字で埋め尽くされることも無く自分の携帯通信端末５で閲覧し、短縮ＵＲＬに表示されるチャット開催者の識別表示からチャット開催者の身元を確認して不安感を覚えること無くリンクされたチャットページへのアクセスを促される。
【００２５】
尚、子ユーザーの携帯通信端末５に短縮ＵＲＬとショートメッセージを送信する電気通信メールには、ＲＣＳのメッセージ、インターネットメール及びＳＮＳのメッセージよりも携帯通信端末５の殆どに標準機能として、または利用アプリが標準装備されているＳＭＳメールを利用することが最も望ましい。また、チャットページへのアクセスは、ＳＭＳではなく携帯通信端末で一般的に利用されるインターネット通信を経由してインターネット通信量の範疇内で行われるため、ＳＭＳ送信手数料を必要としない。
【００２６】
尚、ＳＭＳメールは、一部の提供事業者において、提供事業者が同一の端末間で送受信される場合に限り、送信可能文字数が全角で６７０文字、半角で１５３０文字となるが、古い端末におけるＳＭＳメール通信や、異なる事業者間のＳＭＳメール通信における送信可能文字数は、全角７０文字、半角で１６０文字に制限される。そのため、本実施例における専用短縮ＵＲＬ及びショートメッセージは、ＳＭＳメールを介して子ユーザーに送信される場合、合計の文字数が全角で７０文字、半角換算で１６０文字を超えないように作成されることで、古い端末等に送信してもメールの分割とＵＲＬの分断が無く子ユーザーの携帯通信端末５に着信出来るようになる。
【００２７】
図２に示すチャットサーバー１は、制御部６と、記憶部７によって構成される。制御部６は、記憶部７のプログラム領域８に記憶されるチャットプログラムに基づいて、子ユーザーの携帯通信端末５に短縮ＵＲＬ付のＳＭＳメール等を送信する。
【００２８】
制御部６が実行するチャットプログラムは、図２にその構造が機能展開されているように、親ユーザーデータ処理部９と、対話データ処理部１０と、ユニークＵＲＬデータ処理部１１と、短縮ＵＲＬデータ処理部１２と、ショートメッセージデータ処理部１３を含む。
【００２９】
また、記憶部７は、プログラム領域８の他に、親ユーザーデータベース１４と，各企業を利用する子ユーザーのデータを記録した受信者データベース１５と、セッションデータベース１６と、マルチメディアコンテンツデータを記録したマルチメディアコンテンツデータベース１７と、ユニークＵＲＬデータベース１８と、短縮ＵＲＬデータベース１９と、ショートメッセージデータベース２０を含む。
【００３０】
図２において、企業によるチャットイベント発生に先立ち、親ユーザーデータベース１４には、予めチャットを開催する企業ユーザーの情報（親ユーザー企業の名称、略称、ＵＲＬまたは親ユーザー企業にチャット環境を提供するＡＳＰ(Application Service Provider)による指定名称等）に関する親ユーザー識別子が記録され、受信者データベース１５には、企業ユーザー毎の子ユーザーの情報（登録を受けた親企業ユーザー、氏名、電話番号等）に関する子ユーザー識別子が記録されている。また、セッションデータベース１６には、親ユーザー識別子に紐付された子ユーザー識別子と、紐付関係毎に表示されるチャット画面を識別するマルチメディアコンテンツ識別子に基づいて作成されるセッション識別子が記録され、マルチメディアコンテンツデータベースには、マルチメディアコンテンツ識別子と、チャットの案内等に関連する静止画像、動画、音声、ＨＴＭＬ等のマルチメディアコンテンツデータが記録される。セッション識別子には、ジョブ名を示すジョブ名識別子、データの作成日時やデータの最終更新日時を示すパラメータなどを含んでも良い。
【００３１】
図１に示す制御部６の親ユーザーデータ処理部９は、インターネット網２を介して親ユーザー端末３の操作部３ａに接続され、チャット管理者による操作部３ａの入力に基づいて親ユーザーデータベース１４に記録された入力元の親ユーザー識別子を対話データ処理部に出力する。対話データ処理部１０は、受信者データベース１５を参照して入力された親ユーザー識別子に紐付された子ユーザー識別子を子ユーザー毎に引き出し、更にマルチメディアコンテンツデータベース１７を参照して、親ユーザー識別子に紐付された子ユーザー識別子に対応するマルチメディアコンテンツ識別子を引き出し、親ユーザー識別子、紐付けられた子ユーザー識別子及びマルチメディアコンテンツ識別子からなるセッション識別子を生成し、セッションデータベース１６と、ユニークＵＲＬデータ処理部１１の双方に出力する。
【００３２】
ユニークＵＲＬデータ処理部１１は、入力されたセッション識別子から親ユーザー識別子におけるチャット開催者の出所情報（企業名や企業ＵＲＬのドメイン部分）が表示されるように子ユーザー毎に異なるユニークなＵＲＬを生成してユニークＵＲＬデータベース１８と、短縮ＵＲＬデータ処理部１２の双方に出力する。
【００３３】
短縮ＵＲＬデータ処理部は、チャット開催者の出所情報が表示されるようにしつつ、子ユーザー毎に異なる専用の短縮ＵＲＬを生成して短縮ＵＲＬデータベース１９と、ショートメッセージデータ処理部１３の双方に出力する。具体的には、短縮ＵＲＬは、子ユーザーにチャットを開催する企業やＡＳＰ等がどこか解るように（例えば、架空の企業名として株式会社・佐藤の企業ＵＲＬがhttp://www.sato.co.jp/であれば、短縮ＵＲＬに”sato”の文字を残しつつ全体を短縮する）短縮されることが望ましい。また、短縮ＵＲＬは、ＳＭＳメールを利用する場合、メールに表示される後述のショートメッセージの文字数との合計で全角７０文字、半角で１６０文字を越えない文字数に短縮される。
【００３４】
ショートメッセージデータ処理部１３は、ショートメッセージデータベース２０からから所定の１または複数のショートメッセージを引き出して、短縮ＵＲＬと共に記載し、プッシュ通信を伴うＳＭＳメール等を介して子ユーザーの携帯通信端末５に送付する。
【００３５】
子ユーザーが携帯通信端末に届いたＳＭＳメール等の着信をプッシュ通知されて短縮ＵＲＬをクリックすると、ＨＴＴＰリクエストがインターネット網２を介して短縮ＵＲＬデータ処理部１２に出力され、短縮ＵＲＬデータ処理部１２によって復元されたユニークＵＲＬがユニークＵＲＬデータ処理部１１に出力され、ユニークＵＲＬデータ処理部１１によって復元されたセッション識別子が対話データ処理部１０に出力される。
【００３６】
対話データ処理部１０は、復元されたセッション識別子に含まれるマルチメディアコンテンツ識別子から対応するマルチメディアコンテンツデータを引き出して静止画像、動画、音声、ＨＴＭＬ等を含む所定のチャット画面を生成し、子ユーザーの携帯通信端末５に出力して小型モニター５ａに表示させる。
【００３７】
次に図１のブロック図と図２のフローチャートにより、チャットサーバー１の動作を順に詳細に説明する。図２の左側は、チャットを開催する親ユーザー端末３における処理の流れを示し、図２の中央は、チャットサーバー１における処理の流れを示し、図２の右側は、親ユーザーである企業ユーザーに紐付されてチャットの招待を促される子ユーザーの携帯通信端末５における処理の流れを示す。
【００３８】
まず、図２のステップＳ１０１において、チャットを開催する親ユーザー企業の管理者が親ユーザー端末３の表示部３ｂに表示される管理画面において、チャットへの招待メールを子ユーザーに送る「メッセージプッシュボタン」を操作部３ａによってクリックすると、ステップＳ１０１において、チャットサーバー１の制御部６における対話データ処理部１０が、ステップＳ１０２においてマルチメディアコンテンツデータベース１７からマルチメディアコンテンツ識別子を引き出し、ステップＳ１０３において、入力元の親ユーザー識別子と、これに紐付された子ユーザー識別子と、親子のユーザー識別子の紐付関係に対応したマルチメディアコンテンツ識別子からセッション識別子を生成する。
【００３９】
ユニークＵＲＬデータ処理部１１は、ステップＳ１０４においてセッション識別子から親ユーザーに紐付された子ユーザー毎のユニークＵＲＬを生成し、短縮ＵＲＬデータ処理部１２は、ステップＳ１０５において、チャット開催元を示す企業名などを残したユニークな短縮ＵＲＬを生成する。
【００４０】
ステップＳ１０６において、ショートメッセージデータ処理部１３が、短縮ＵＲＬと所定の１または複数のショートメッセージを含むメールを生成すると、対話データ処理部１０が、インターネット網２を介してチャットを開催する親ユーザー端末３の表示部３ｂの管理画面に押し下し可能な状態の「送信」ボタンを表示させる。
【００４１】
チャットを開催する親ユーザー端末３の管理者は、ステップＳ１０７において「送信」ボタンをクリックすることで、子ユーザーをチャットに招待するメールの送信命令を行う。親ユーザーデータ処理部９が、親ユーザー端末３における「送信」ボタンの押し下しを入力されると、ステップＳ１０８において、ショートメッセージデータ処理部が、子ユーザー毎にユニークに形成された短縮ＵＲＬと所定のショートメッセージを記載したＳＭＳメール等を子ユーザー毎に送信する。ステップＳ１０９において、子ユーザーは、携帯通信端末５で専用の短縮ＵＲＬを記載されたメールの着信を通知され、小型モニター５ａに表示された文字数の少ない短縮ＵＲＬに含まれるチャット開催者の企業名等の出所表字を確認することで、チャット招待のメールの送信者が、まさしく自分が登録した親ユーザーやＡＳＰであることを知って安堵し、チャットへの招待を促される。
【００４２】
ステップＳ１１０において、子ユーザーが受信したＳＭＳメール等に記載された短縮ＵＲＬを小型モニター５ａ上でタップすると、インターネット網２を介して子ユーザーのチャットへの参加認証が完了すると共にＨＴＴＰリクエストが発生し、チャットサーバー１で短縮ＵＲＬデータ処理部１２、ユニークＵＲＬデータ処理部１１を介してセッション識別子の復元が行われ、ステップＳ１１１において、対話データ処理部１０が、ステップＳ１１１でセッション識別子に含まれるマルチメディアコンテンツ識別子に対応するマルチメディアコンテンツを取得し、ステップＳ１１２で所定のチャット画面を生成して子ユーザの携帯通信端末５に送信し、ステップＳ１１３でマルチメディアコンテンツに対応するチャット画面を小型モニター５ａに表示させる。
【００４３】
子ユーザーの携帯通信端末５の小型モニター５ａに表示されたチャット画面は、ステップＳ１１４において、受信したマルチメディアコンテンツに基づいて動作する。例えば、チャット画面には、文字を含むｈｔｍｌ表示や、静止画像、動画等が表示され、チャット表示と同時に音声が流れたりする。ステップＳ１１５において、子ユーザーがチャット画面に表示された「リプライ」ボタンをタップすると、ステップＳ１１６において、チャットサーバー１の対話データ処理部１０が、セッション識別子に対応するコンテンツをマルチメディアコンテンツデータベース１７に記録され、親ユーザー端末３と、子ユーザーの携帯通信端末との間でチャットが行われる。チャットは、親ユーザーと子ユーザーとの間に開催される１対１のチャットのみならず、親ユーザーと複数の子ユーザーとの間に開催されるようなグループチャットとして開催される。
【００４４】
本実施例のチャットシステムは、企業クライアントの親ユーザーと、各企業に紐付された当該企業の顧客である複数の子ユーザーとの間において、企業側からのアクションにより、スマートフォンのみならずフィーチャーフォンなどでも使用可能な普及率の高いＳＭＳメール等を利用して顧客に不安を抱かせたり分割の不便を強いることなく通信回線上のチャット画面に誘導出来、不便なログイン作業もさせることなく消費者を特定してチャットを開始させることが出来、電話連絡の替わりとして顧客の意向や、折り返し連絡、状況確認等をリアルタイムで得られる点で意義がある。
【００４５】
親ユーザー（企業等）からのアクションに基づいて子ユーザー（顧客）との間に開かれるチャットにおいて想定される例には、マーケティング調査、災害時等の緊急時のやりとり、企業のコールセンターから顧客に対する画像・動画を交えたチャットによる説明、企業から採用内定者に対する各種連絡、企業内における本社及び支社等の部門間のやりとりや社員間のやりとり、不動産の内覧や工事立会いの待ち合わせ等における場所や時間等の連絡や打ち合わせ、入金日に関する督促等の確認、健康相談を受けつける企業と相談を求める個人との間のやりとり、派遣会社と派遣スタッフとの間における仕事の紹介や詳細説明等のやりとり、その他各種カウンセリング等が想定される。チャットで行われた対話の内容は、記録としてデータを蓄積、ダウンロードすることで後ほどエビデンス（証拠）に使用することも出来る。
【符号の説明】
【００４６】
チャットサーバー（チャットシステム）          １
インターネット網（通信回線）                  ２
親ユーザー端末                                ３
操作部                                        ３ａ
表示部                                        ３ｂ
公衆回線網                                    ４
子ユーザーの携帯通信端末                      ５
小型モニター                                  ５ａ
制御部                                        ６
記憶部                                        ７
プログラム領域                                ８
親ユーザーデータ処理部                        ９
対話データ処理部                              １０
ユニークＵＲＬデータ処理部                    １１
短縮ＵＲＬデータ処理部                        １２
ショートメッセージデータ処理部                １３
親ユーザーデータベース                        １４
受信者データベース                            １５
セッションデータベース                        １６
マルチメディアコンテンツデータベース          １７
ユニークＵＲＬデータベース                    １８
短縮ＵＲＬデータベース                        １９
ショートメッセージデータベース                ２０
【図１】
2020071644.tif 000003
【図２】
2020071644.tif 000004
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
記憶部に記憶された送信対象者の携帯通信端末に制御部がＵＲＬを含む電気通信メッセージを通信回線によって送信し、ＵＲＬにリンクしたチャット画面に前記送信対象者を招待するチャットシステムにおいて、
前記記憶部は、
チャットを開催する親ユーザーの親ユーザー識別子と、親ユーザーに紐付された前記送信対象者である複数の子ユーザーを識別する子ユーザー識別子と、前記親ユーザー識別子に紐付された子ユーザー毎の対応関係を示すセッション識別子と、メッセージデータを有し、
前記制御部は、
親ユーザーの識別子を含むセッション識別子を短縮することで生成される、子ユーザー毎に異なる専用短縮ＵＲＬであり、かつ前記親ユーザー識別子を表示可能とした専用短縮ＵＲＬと、メッセージデータを含み、着信をプッシュ通知される電気通信メールを前記子ユーザーの携帯通信端末に送信することを特徴とする、チャットシステム。
【請求項２】
前記セッション識別子は、更にマルチメディアコンテンツとの対応関係も示し、
前記記憶部は、前記マルチメディアコンテンツの対応関係に基づいたチャット画面を表示するマルチメディアコンテンツデータを有し、
前記制御部が、前記専用短縮ＵＲＬへの子ユーザーのアクセスに基づいて、前記セッション識別子に対応したマルチメディアコンテンツデータによるチャット画面を子ユーザーの端末に表示することを特徴とする、請求項１に記載のチャットシステム。
【請求項３】
前記親ユーザーの識別子は、親ユーザーの名称、略称、ＵＲＬまたは親ユーザー企業にチャット環境を提供するＡＳＰによる指定名称であることを特徴とする、請求項１または２に記載のチャットシステム。
【請求項４】
前記電気通信メールが、ＳＭＳメールであることを特徴とする、請求項１から３のうちいずれかに記載のチャットシステム。